(57)【要約】【課題】カプセル型医療装置の容器の液密を確保して、安全性をさらに高めること。【解決手段】少なくとも、接触部分を除いた密閉容器２内部に露出している発光体３１と、この発光体３１を駆動するためのチップ部品とを接続する電気端子や無線送信手段７のアンテナに対して、有機系の樹脂であるパリレン樹脂やポリイミド樹脂などを用いて、ＣＶＤなどによる絶縁皮膜コーティングを行い、無色透明で、水蒸気およびガス透過性が極めて少ない絶縁皮膜を施す。【選択図】        図１
2005185496.tif 000002
【特許請求の範囲】
【請求項１】
被検体内へ導入可能なカプセル形状に形成されて、内部を液密に封止する外装ケースと、
予め設定された所定の機能を実行する前記外装ケースの内部に収容される機能実行手段と、
前記機能実行手段を駆動するための駆動電力を蓄積する蓄電手段と、
前記機能実行手段と電気的に接続し、前記蓄電手段から前記機能実行手段へ前記駆動電力を供給するために、前記蓄電手段および前記機能実行手段に設けられた電気端子と、
電気絶縁性および液密性の特性を有する材料を用いて形成され、少なくとも前記電気端子の導電性を保った状態で、前記電気端子の接触部分を除く当該電気端子を被覆する被覆部材と、
を備えたことを特徴とするカプセル型医療装置。
【請求項２】
被検体内へ導入可能なカプセル形状に形成されて、内部を液密に封止する外装ケースと、
予め設定された所定の機能を実行する前記外装ケースの内部に収容される機能実行手段と、
前記機能実行手段を駆動するための駆動電力を蓄積する蓄電手段と、
前記機能実行手段と電気的に接続し、前記蓄電手段から前記機能実行手段へ前記駆動電力を供給するために、前記蓄電手段および前記機能実行手段に設けられた電気端子と、
前記電気絶縁性および液密性の特性を有する材料を用いて形成され、少なくとも前記機能実行手段が内部に収容された前記外装ケースの外周面を被覆する被覆部材と、
を備えたことを特徴とするカプセル型医療装置。
【請求項３】
前記蓄電手段は、直列に積層された複数のボタン型乾電池を有し、
前記被覆部材は、前記積層された前記ボタン型乾電池の境界部分を、前記ボタン型乾電池間の導電性を保った状態で被覆することを特徴とする請求項１または２に記載のカプセル型医療装置。
【請求項４】
前記被覆部材は、前記機能実行手段が内部に収容された前記外装ケースの外周面を被覆することを特徴とする請求項１に記載のカプセル型医療装置。
【請求項５】
前記被覆部材は、前記電気接点部の導電性を保った状態で、前記電気接点部を被覆することを特徴とする請求項２に記載のカプセル型医療装置。
【請求項６】
前記被覆部材は、有機系の絶縁皮膜からなることを特徴とする請求項１〜５のいずれかに記載のカプセル型医療装置。
【請求項７】
前記絶縁皮膜は、光学的に透明であることを特徴とする請求項６に記載のカプセル型医療装置。
【請求項８】
前記機能実行手段は、被検体内を照明する照明光を出力する照明手段からなることを特徴とする請求項１または２に記載のカプセル型医療装置。
【請求項９】
前記機能実行手段は、被検体内から取得された情報を、前記被検体外に無線送信する無線送信手段からなることを特徴とする請求項１または２に記載のカプセル型医療装置。
【請求項１０】
前記被覆部材は、生体適合性を有する材料から構成されていることを特徴とする請求項１〜５のいずれかに記載のカプセル型医療装置。
【発明の詳細な説明】
【技術分野】
【０００１】
本発明は、被検体内に導入されて被検体内の情報を収集する、たとえば飲み込み型のカプセル型内視鏡などのカプセル型医療装置に関し、特に高い液密性を保持するカプセル型医療装置に関するものである。
【背景技術】
【０００２】
近年、内視鏡の分野では、撮像機能と無線機能とが装備されたカプセル型内視鏡が登場している。このカプセル型内視鏡は、観察（検査）のために被検体である被検者に飲み込まれた後、被検者の生体から自然排出されるまでの観察期間、胃、小腸などの臓器の内部（体腔内）をその蠕動運動に伴って移動し、撮像機能を用いて順次撮像する構成である。
【０００３】
また、これら臓器内の移動によるこの観察期間、カプセル型内視鏡によって体腔内で撮像された画像データは、順次無線通信などの無線機能により、被検体の外部に設けられた外部装置に送信され、外部装置内に設けられたメモリに蓄積される。被検者がこの無線機能とメモリ機能を備えた外部装置を携帯することにより、被検者は、カプセル型内視鏡を飲み込んだ後、排出されるまでの観察期間、不自由を被ることなく行動が可能になる。観察後は、医者もしくは看護士によって、外部装置のメモリに蓄積された画像データに基づいて、体腔内の画像をディスプレイなどの表示手段に表示させて診断を行うことができる。
【０００４】
この種のカプセル型内視鏡では、上記機能を実行するために、たとえば特許文献１に示すような飲み込み型のものがある。このカプセル型内視鏡は、ＬＥＤなどの照明手段、ＣＣＤやＣＭＯＳなどの固体撮像素子、これら照明手段や固体撮像素子の駆動回路、電池などを含む電源部および固体撮像素子からの画像データを外部装置に送信するための送信部などの機能実行手段を内部に備え、これら機能実行手段を密閉したカプセル形状の容器内に収容したものが提案されている。カプセル形状の容器は、照明手段による容器外部への照明やたとえばこの照明光による反射光を受光して容器外部の撮像を行うための半球形状の透明カバーと、これら機能実行手段を収容する円筒形状の外装ケースとに分割して形成されており、製造時に、この透明カバーと外装ケースを液密的に接合することで、カプセル形状の容器を密閉していた。
【０００５】
【特許文献１】特開２００１−９１８６０号公報
【発明の開示】
【発明が解決しようとする課題】
【０００６】
このようなカプセル型内視鏡では、軽量化を図るために、透明カバーおよび外装ケースを薄肉の樹脂部材で形成し、かつこの透明カバーと外装ケースとを接着剤で接合することで、液密を確保している。しかしながら、カプセル型内視鏡は、被検者が口から飲み込み、被検体の体腔内を通過するものであるから、安全性は何重にも確保されることが好ましい。
【０００７】
本発明は、上記問題に鑑みてなされたものであって、容器の液密を確保して、安全性をさらに高めることができるカプセル型医療装置を提供することを目的とする。
【課題を解決するための手段】
【０００８】
上述した課題を解決し、目的を達成するために、本発明にかかるカプセル型医療装置は、被検体内へ導入可能なカプセル形状に形成されて、内部を液密に封止する外装ケースと、予め設定された所定の機能を実行する前記外装ケースの内部に収容される機能実行手段と、前記機能実行手段を駆動するための駆動電力を蓄積する蓄電手段と、前記機能実行手段と電気的に接続し、前記蓄電手段から前記機能実行手段へ前記駆動電力を供給するために、前記蓄電手段および前記機能実行手段に設けられた電気端子と、前記電気絶縁性および液密性の特性を有する材料を用いて形成され、少なくとも前記電気端子の導電性を保った状態で、前記電気端子の接触部分を除く当該電気端子を被覆する被覆部材と、を備えたことを特徴とする。
【０００９】
また、請求項２の発明にかかるカプセル型医療装置は、被検体内へ導入可能なカプセル形状に形成されて、内部を液密に封止する外装ケースと、予め設定された所定の機能を実行する前記外装ケースの内部に収容される機能実行手段と、前記機能実行手段を駆動するための駆動電力を蓄積する蓄電手段と、前記機能実行手段と電気的に接続し、前記蓄電手段から前記機能実行手段へ前記駆動電力を供給するために、前記蓄電手段および前記機能実行手段に設けられた電気端子と、前記電気絶縁性および液密性の特性を有する材料を用いて形成され、少なくとも前記機能実行手段が内部に収容された前記外装ケースの外周面を被覆する被覆部材と、を備えたことを特徴とする。
【００１０】
また、請求項３の発明にかかるカプセル型医療装置は、上記発明において、前記蓄電手段は、直列に積層された複数のボタン型乾電池を有し、前記被覆部材は、前記積層された前記ボタン型乾電池の境界部分を、前記ボタン型乾電池間の導電性を保った状態で被覆することを特徴とする。
【００１１】
また、請求項４の発明にかかるカプセル型医療装置は、上記発明において、前記被覆部材は、前記機能実行手段が内部に収容された前記外装ケースの外周面を被覆することを特徴とする。
【００１２】
また、請求項５の発明にかかるカプセル型医療装置は、上記発明において、前記被覆部材は、前記電気接点部の導電性を保った状態で、前記電気接点部を被覆することを特徴とする。
【００１３】
また、請求項６の発明にかかるカプセル型医療装置は、上記発明において、前記被覆部材は、有機系の絶縁皮膜からなることを特徴とする。
【００１４】
また、請求項７の発明にかかるカプセル型医療装置は、上記発明において、前記絶縁皮膜は、光学的に透明であることを特徴とする。
【００１５】
また、請求項８の発明にかかるカプセル型医療装置は、上記発明において、前記機能実行手段は、被検体内を照明する照明光を出力する照明手段からなることを特徴とする。
【００１６】
また、請求項９の発明にかかるカプセル型医療装置は、上記発明において、前記機能実行手段は、被検体内から取得された情報を、前記被検体外に無線送信する無線送信手段からなることを特徴とする。
【発明の効果】
【００１７】
本発明にかかるカプセル型医療装置は、内部を液密に封止する外装ケース内部に収容される蓄電手段および機能実行手段に設けられた電気端子の導電性を保った状態で、電気端子を除く当該電気端子を、電気絶縁性および液密性の特性を有する材料を用いて形成された被覆部材で被覆することで、さらに容器の液密を確保して、安全性をさらに高めることができるという効果を奏する。
【００１８】
本発明にかかるカプセル型医療装置は、機能実行手段が内部に収容された外装ケースの外周面を、電気絶縁性および液密性の特性を有する材料を用いて形成された被覆部材で被覆することで、さら容器の液密を確保して、安全性をさらに高めることができるという効果を奏する。
【発明を実施するための最良の形態】
【００１９】
以下に、本発明にかかるカプセル型医療装置の実施の形態を図１〜図４の図面に基づいて詳細に説明する。なお、本発明は、これらの実施の形態に限定されるものではなく、本発明の要旨を逸脱しない範囲で種々の変更実施の形態が可能である。
【００２０】
（実施の形態１）
図１は、本発明にかかるカプセル型医療装置の実施の形態１の構成を示す側断面図であり、図２は、図１に示したリジットフレキ配線基板を展開した上面図である。なお、この実施の形態では、カプセル内視鏡として、被検体である人間の口などから体腔内に導入して、体腔内の被検部位を撮影するカプセル型内視鏡を一例として説明する。
【００２１】
このカプセル型内視鏡１は、図１に示すように、カプセル形状に形成された外装ケースである密閉容器２と、予め設定された所定の機能を実行するための機能実行手段として、体腔内を被検部位を照明するための照明光を出射する照明手段３と、機能実行手段として、照明光による反射光を受光して被検部位を撮像する撮像手段４と、照明手段３と撮像手段４の駆動制御および信号処理を行う制御手段５と、機能実行手段を駆動するための駆動電力を蓄積する蓄電手段６と、撮像手段４によって取得された画像データを被検体外に無線送信する無線送信手段７を備える。
【００２２】
密閉容器２は、人が飲み込める程度の大きさのものであり、略半球状の先端カバー２１と、筒状の胴部カバー２２とを弾性的に嵌合させて形成されている。照明基板３０、撮像基板４０、スイッチ基板６２、電源基板６６および送信基板７１は、後端部に略半円球形状の底部を有して先端部が円形状に開口した筒状の胴部カバー２２内に挿入されている。先端カバー２１は、略半球状のドーム形状であって、ドームの後側が円形状に開口している。この先端カバー２１は、透明性あるいは透光性を有する透明部材、たとえば光学的性能や強度を確保するのに好ましいシクロオレフィンポリマーあるいはポリマーカーボンなどで成形され、照明手段３からの照明光を密閉容器２の外部に透過することを可能にするとともに、この照明光による被検体からの反射光を内部に透過することを可能にする。
【００２３】
また、胴部カバー２２は、先端カバー２１の後側に位置して、上記機能実行手段を覆う部材である。この胴部カバー２２は、円筒状の胴部２３と、略半球状のドーム形状の後端部２４を一体に形成し、この胴部２３の前側が円形状に開口している。この胴部カバー２２は、強度を確保するのに好ましいポリサルフォンなどで形成され、照明手段３と、撮像手段４と、制御手段５とを胴部２３に収容し、無線送信手段７を後端部２４に収容している。
【００２４】
照明手段３は、図１に示すように、中央部分に通穴３０ａが設けられた円盤状に形成された照明基板３０と、この照明基板３０の前面（図１中、先端カバー２１側）に設けられた発光ダイオード、たとえば白色ＬＥＤなどの４つの発光体３１と、図２に示すように、後面（図１中、撮像基板４０側）に発光体３１を駆動するための回路を構成するチップ部品３２とを備え、発光体３１からの照明光は、先端カバー２１を介して外部に照射されている。
【００２５】
撮像手段４は、図１に示すように、円盤状に形成された撮像基板４０と、この撮像基板４０の前面（図１中、照明基板３０側）に設けられたＣＣＤやＣＭＯＳなどの固体撮像素子４１と、固体撮像素子４１に被写体の像を結像させる結像レンズ４２とを備える。結像レンズ４２は、固体撮像素子４１の前面（図１中、照明基板３０側）に設けられており、被写体側に位置して固定枠４３ａに設けられる第１レンズ４２ａと、固体撮像素子４１側に位置して可動枠４３ｂに設けられる第２レンズ４２ｂとから構成される。固定枠４３ａと可動枠４３ｂは、第２レンズ４２ｂを光軸に沿って移動させるピント調整機構４３を構成している。また、固定枠４３ａは、照明基板３０の通穴３０ａに挿通しており、結像レンズ４２の光軸を照明基板３０の前面に向けている。これにより、撮像手段４は、照明手段３の照明光によって照らされた範囲を撮像することができる。また、図１および図２に示すように、撮像基板４０の前面および後面（図１中、スイッチ基板６２側）には、固体撮像素子４１を囲む態様で、固体撮像素子４１を駆動するための回路を構成するチップ部品４４が設けられている。
【００２６】
制御手段５は、図１に示すように、ＤＳＰ（ディジタル  シグナル  プロセッサ）５１を有し、ＤＳＰ５１は、撮像基板４０の後面でチップ部品５２に囲まれる態様で設けられている。このＤＳＰ５１は、カプセル型内視鏡１の駆動制御の中枢を司り、固体撮像素子４１の駆動制御および出力信号処理、照明手段３の駆動制御を行う。なお、撮像基板４０の後面のチップ部品４４は、ＤＳＰ５１から出力される映像信号およびクロック信号の２つの信号を、無線送信手段７から送信するにあたり、１つの信号にミキシングする機能などを有する半導体部材である。
【００２７】
ＤＳＰ５１は、カプセル型内視鏡１の小型化を達成するため、半導体的なパッケージングを行わない、いわゆるベアチップ（裸の半導体チップ）の形体にてフェースダウンで、撮像基板４０へとフリップチップ実装されている。一般的に、ベアチップの半導体は、通常の樹脂モールディングなどの半導体的なパッケージングが行われた部品と比べて、たとえば耐湿性や耐水性などの点で信頼性が著しく低くなるが、本実施の形態例では、絶縁性樹脂を被覆することにより、パッケージングが行われた部品と比較しても同等の信頼性を確保することができる。なお、ＤＳＰ５１以外にベアチップの形体が用いられた場合にも、本実施の形態例に記載の態様を採ることで、同様な効果が期待できる。
【００２８】
蓄電手段６は、図１に示すように、酸化銀電池などのボタン型乾電池６１と、円盤状に形成されたスイッチ基板６２と、リードスイッチ６３ａとバイアス磁石６３ｂを有し、スイッチ基板６２の前面（図１中、撮像基板４０側）に設けられるスイッチ部６３、電源部６４とを備える。ボタン型乾電池６１は、複数個、たとえばこの実施の形態では、３個を直列にして負極キャップ側を後側に向けて配置してある。なお、電池６１は、酸化銀電池に限定されるものではなく、たとえば充電式電池、発電式電池などを用いても良く、個数も３個に限定されるものではない。
【００２９】
また、スイッチ基板６２の後面には、板バネで形成された接点６５が設けられ、この接点６５は、ボタン型乾電池６１の正極缶に接触して、ボタン型乾電池６１を板バネの付勢力で、後側（図１中、電源基板６６側）に付勢している。
【００３０】
電源部６４は、円盤状に形成された電源基板６６と、電源基板６６の後面（図１中、後端部２４側）に設けられたＤＣ／ＤＣコンバータ６４ａを有している。ＤＣ／ＤＣコンバータ６４ａは、常にシステムに必要な一定の電圧を得るために、ボタン型乾電池６１で得られる電圧をたとえば昇圧などのコントロールを行う。また、図には明示してないが、電源基板６６の前面（図１中、スイッチ基板６２側）には、ボタン型乾電池６１の負極キャップと接触する接点が設けられている。この実施の形態において、蓄電手段６は、スイッチ基板６２と電源基板６６の間に複数のボタン型乾電池６１を直列に接続配置して各機能実行手段への電源供給を可能にする。
【００３１】
無線送信手段７は、円盤状に形成された送信基板７１と、送信基板７１の後面（図１中、後端部２４側）に設けられた発振回路７２と、アンテナ基板７３と、アンテナ基板７３の後面（図１中、後端部２４側）に設けられたアンテナ７４とを備える。アンテナ７４は、図２に示すように、アンテナ基板７３の後面に、略渦巻き状のパターンで構成されている。この無線送信手段７は、上記チップ部品４４（半導体部材）でミキシングした信号から一定の周波数・振幅・波形を持つ信号を発振回路７２によって取り出し、この取り出した信号をアンテナ７４からカプセル型内視鏡１の外部に送信する。なお、送信基板７１とアンテナ基板７３とは、半田によって電気的に接続されて一体の送信ユニットを構成している。
【００３２】
上述した照明基板３０、撮像基板４０、スイッチ基板６２、電源基板６６および送信基板７１は、リジット基板からなる。図２に示すように、これらリジット基板は、一連のフレキシブル基板８０をそれぞれ挟む態様で設けられて、リジットフレキ配線基板８を構成している。すなわち、各リジット基板は、フレキシブル基板８０を介して、照明基板３０、撮像基板４０、スイッチ基板６２、電源基板６６、送信基板７１の順で所定間隔おきに配設され、互いに電気的に接続されている。そして、このリジットフレキ配線基板のフレキシブル基板８０を折り曲げることによって、図１に示す態様で、照明基板３０、撮像基板４０、スイッチ基板６２、電源基板６６および送信基板７１は、先端カバー２１側と後端部２４側の前後方向に積層して配置される。
【００３３】
一般には、このフレキシブル基板８０を折り曲げた状態で、リジットフレキ配線基板８を密閉容器２内に収容するが、本発明では、その前段階の処理として、リジットフレキ配線基板８に対して絶縁樹脂の皮膜を行う。本発明では、絶縁皮膜は、たとえば有機系の樹脂であるパリレン樹脂やポリイミド樹脂などを用いて、少なくとも密閉容器内で封止樹脂による封止が行なわれずに、接触部分を除いた容器内部に露出している電気端子、たとえば発光体３１と、この発光体３１を駆動するためのチップ部品とを接続する電気端子やアンテナに対して、絶縁皮膜コーティングを行う。これら樹脂のうち、パリレンＣ（ｐｏｌｙ−ｍｏｎｏｃｈｌｏｒｏ−ｐａｒａ−ｘｙｌｙｌｅｎｅ）は、無色透明で、水蒸気およびガス透過性が極めて少なく、有機系コーティングの中でも特に優れ、本発明にかかる絶縁皮膜に適している。なお、本発明における絶縁皮膜は、生体適合性を有する材料にて形成するので、絶縁性を有するという機能のほかに、生体適合性を有するという機能も兼ね備えたものとしている。
【００３４】
なお、この実施の形態では、さらに容器の液密を確保して、安全性をさらに高めるために、絶縁皮膜は、リジットフレキ配線基板８全体に、たとえばＣＶＤ（Ｃｈｅｍｉｃａｌ  Ｖａｐｏｒ  Ｄｅｐｏｓｉｔｉｏｎ：化学的気層成長法）、蒸着などによる真空雰囲気中でコンフォーマルに形成する。
【００３５】
図３は、ＣＶＤ法による化学蒸着プロセスに用いる蒸着装置の構成を示す図である。図において、蒸着装置９０は、気化室９１と、熱分解室９２と、蒸着室９３と、防臭・冷却筒９４と、バキュームポンプ９５と、これらを縦列接続する搬走路９６とから構成されるシステム構成をしている。まず、この蒸着装置９０では、本発明にかかるリジットフレキ配線基板８を蒸着室９３内に置く。次に、気化室９１にたとえばパリレンＣなどの原料の粉を入れ、図中、右側に設けたバキュームポンプ９５を作動する。そして、システム全体が真空になったところで、気化室９１に熱を加えると、粉体だった原料が気化して気体になって飛び始め、さらにバキュームポンプ９５の真空動作に引かれて、図中、右方向へ移動していく。
【００３６】
次に、この原料の気体は、熱分解室９２において、ラジカルという安定した反応性の高い状態となる。そして、この気体が蒸着室９３に置かれたリジットフレキ配線基板８へと吸着と重合を同時に行なって、図１に示すように、高分子量の薄膜である絶縁皮膜８１が、リジットフレキ配線基板８全体に形成される。なお、蒸着室９３では、室温に近い常温でのコーティングが可能で、これにより電気部品などに熱的障害を与えることなく、優れた物的安定性を保持することができる。
【００３７】
また、この化学蒸着プロセスでのコーティングは、分子レベルでのコーティングなので、コーティング厚が精密に制御でき、リジットフレキ配線基板８には、ムラやピンホールのないμｍ厚のコンフォーマルコーティングが可能となる。なお、このプロセスでは、真空引きを行うので電気的な接続部分にはマスキングを行なった上から上記コーティングを行えば、気化された原料がその接続部分に侵入するのを防ぎ、電気的な導通状態を損なうことがなく、リジットフレキ配線基板８に良好に絶縁皮膜を施すことができる。
【００３８】
次に、この実施の形態では、コーティング処理の終了したリジットフレキ配線基板８を、密閉容器２内に収容する場合には、照明基板３０と撮像基板４０とスイッチ基板６２との各間隙、電源基板６６と送信基板７１とアンテナ基板７３との各間隙に封止樹脂８２を充填した状態で、リジットフレキ配線基板８を先端カバー２１に取り付ける。その後、リジットフレキ配線基板８を予め取り付けておいた先端カバー２１に対して、胴部カバー２２を接合する。
【００３９】
このように、この実施の形態では、所定の機能実行手段が設けられたリジットフレキ配線基板に、電気端子の導電性を保った状態で、電気端子の接続部分は除いて、この電気端子を被覆した後にケース内に収容するので、たとえば外力などにより外装の一部に亀裂などの障害が発生して、容器内部へ水分が浸入したとしても、容器内に露出している部分に絶縁皮膜のコーティングを行うので、内部電気部品への水分浸入を防いで、電気部品のショート等が発生する恐れがなくなり、容器の液密を確保して、安全性をさらに高めることができる。
【００４０】
なお、この実施の形態例では、リジットフレキ配線基板を折りたたんだ状態で絶縁皮膜のコーティングを行ったが、この発明はこれに限らず、たとえば図２に示すように、リジットフレキ配線基板の折りたたみ前の状態でも、絶縁皮膜のコーティングを行うことが可能である。この場合には、コーティングの前に、電気端子の接触部分に予めマスキングをしておき、コーティングの後にそのマスキングを外せば、その部分のみのコーティングも剥がれて、他の導電部材と電気端子の電気的な接触が可能となり、かつ容器の液密を高めることができる。
【００４１】
また、この実施の形態では、有機系の絶縁樹脂を皮膜する場合を示したが、本発明はこれに限らず、たとえば酸化シリコン（Ｓｉｏ２）や窒化シリコン（ＳｉＮ）などを用いて無機系の絶縁皮膜を施すことも可能である。
【００４２】
（実施の形態２）
図４は、本発明にかかるカプセル型医療装置の実施の形態２の構成を示す側断面図である。なお、図４において、図１と同様の構成部分に関しては、説明の都合上、同一符号を付記するものとする。
【００４３】
図１では、密閉容器２の内部に収容するリジットフレキ配線基板に対して、絶縁皮膜のコーティングを施したが、図４では、密閉容器２そのものに絶縁皮膜のコーティングを施した場合の例である。
【００４４】
この実施の形態では、リジットフレキ配線基板８を密閉容器２内に収容した後に、実施の形態１と同様に、たとえばＣＶＤ法による化学蒸着プロセスを用いた蒸着装置によって、密閉容器２の表面に絶縁皮膜のコーティングを施すことで、実施の形態１と同様の効果を奏することができる。なお、この時、容器２表面の絶縁皮膜のコーティングは、生体適合性を有することが好ましい。
【００４５】
さらに、この密閉容器２の表面への絶縁皮膜のコーティングとともに、リジットフレキ配線基板に対して、絶縁皮膜のコーティングを施こせば、さらに容器の液密を確保して、３重に安全性を高めることができる。
【図面の簡単な説明】
【００４６】
【図１】本発明にかかるカプセル型医療装置の実施の形態１の構成を示す側断面図である。
【図２】図１に示したリジットフレキ配線基板を展開した上面図である。
【図３】化学蒸着プロセスに用いる蒸着装置の構成を示す構成図である。
【図４】本発明にかかるカプセル型医療装置の実施の形態２の構成を示す側断面図である。
【符号の説明】
【００４７】
１  カプセル型内視鏡
２  密閉容器
３  照明手段
４  撮像手段
５  制御手段
６  蓄電手段
７  無線送信手段
８  リジットフレキ配線基板
２１  先端カバー
２２  胴部カバー
２３  胴部
２４  後端部
３０  照明基板
３０ａ  通穴
３１  発光体
３２，４４，５２  チップ部品
４０  撮像基板
４１  固体撮像素子
４２  結像レンズ
４２ａ，４２ｂ  レンズ
４３  ピント調整機構
４３ａ  固定枠
４３ｂ  可動枠
６１  ボタン型乾電池
６２  スイッチ基板
６３  スイッチ部
６３ａ  リードスイッチ
６３ｂ  バイアス磁石
６４  電源部
６４ａ  ＤＣ／ＤＣコンバータ
６５  接点
６６  電源基板
７１  送信基板
７２  発振回路
７３  アンテナ基板
７４  アンテナ
８０  フレキシブル基板
８１  絶縁皮膜
８２  封止樹脂
９０  蒸着装置
９１  気化室
９２  熱分解室
９３  蒸着室
９４  防臭・冷却筒
９５  バキュームポンプ
９６  搬走路
【図１】
2005185496.tif 000003
【図２】
2005185496.tif 000004
【図３】
2005185496.tif 000005
【図４】
2005185496.tif 000006